(57)【要約】      （修正有）【課題】三人乗り自転車に於ける安全安心安定した自転車で、補助席の子供を守るとともに、自転車としての安全、安心、操作性、運動性を兼ね備えたものを提供する。【解決手段】前二輪、後一輪の三輪自転車に於いて、車体の傾きに応じて前二輪を左右対称、及び上下させ、車体、詰まり後輪と平行の同じ角度を保つ為、車体と平行してL字アーム又はロール芯より平行にアッパーアームを振り分け設置する。この際、舵は車軸芯(ロール芯) にセットする。平行アームはオフセットし、本体のステアリングヘッドから左右のステアリングヘッドに連結し、左右対称上下に平行運動をする車輪の軌道を起こしても良い。【選択図】図１−８
2009286285.tif 000002
【特許請求の範囲】
【請求項１】
前二輪、後一輪の三輪自転車に於いて、車体の傾きに応じて前二輪をあべこべに左右対称に上下させ尚且つ、車体、詰まり後輪と平行の同じ角度を保つ為、車体と平行してL字アーム又はロール芯より平行にアッパーアームを振り分け設置する。この際舵は車軸芯、(ロール芯) にセットする。平行アームはオフセットし本体のステアリングヘッドから左右のステアリングヘッドに連結し左右対称上下に平行運動をする車輪の軌道を起こしても良い。
【請求項２】
車体の傾きに準じて前二輪をあべこべに左右対称に上下させる為、差動機又はラックと歯車、又はシーソーレバーなどを用いる。四輪自転車も同じ手法を取る。それぞれ転倒防止の為、平行を保つ為にバネやトーショーバーを用いる。
【請求項３】
下パイプをUの字にし泥よけを兼ね、下フレームをペダルの下位の位置よりも下げ、立パイプをピボット、ボトム・ブラケットよりも後方へ持って行き、乗降しやすくする。
【請求項４】
四輪自転車に於いてアクスルはそのままに車体だけを傾ける。
【請求項５】
サイドカーに於ける側車を牽引する形を取る事で、サイドカーの上下運動を可能とし、コーナー並びカーブでの旋回を楽にする。
【発明の詳細な説明】
【技術分野】
【０００１】
本発明は基本となるものは前二輪、後一輪のトライク (三輪自転車) で、四輪にも出来る。また牽引型サイドカーでもある。
【発明の開示】
【発明が解決しようとする課題】
【０００２】
三人乗り自転車に於ける安全安心安定した自転車で補助席の子供を守るとともに、自転車としての安全安心操作性運動性を兼ね備えたものと
する。
【課題を解決するための手段】
【０００３】
車体の傾きに伴って三輪又は四輪とも同じ傾きになる。地面に対しても平行に倒す。サイドカーを牽引する。
【発明の効果】
【０００４】
二輪では得られない安定性がある為、転倒の危険性が少ない。
【発明を実施するための最良の形態】
【０００５】
前輪を二輪のトライクか、後二輪の三輪車か、四輪自転車か、サイドカータイプとする。
【実施例１】
【０００６】
図１は、フレームから平行に左右に延びたLアームが作動する事を表した図。フレーム内に内蔵された差動機と左右のバランスを保つスプリング
ダンパーと舵によって構成されている。
【実施例２】
【０００７】
図２は、前後左右の車軸中心点にフレームを置き、フレームのヘッド中心点から平行に二本のアームを振り分け左右前輪のアップライトに取り付  
け車体と同じ傾きで前輪も作動をする事を表した図。左右のバランスを取るバネと軸の中心で作動する舵で構成される。
【実施例３】
【０００８】
図３は、ステアリングヘッドから二本の平行アームを左右のステアリングヘッドに取り付け車体の傾きと同角度で左右車輪を変化させる。また舵も
左右のステアリングヘッドを芯とし、ハンドルを切った角度と同じ角度で左右並行に車輪が作動する事をあらわした図。
フレームは乗り降りのしやすさを考慮してある。
【実施例４】
【０００９】
図４は、ステアリングヘッドを中心 (軸) に左右の車輪を動かし、ステアリングヘッドに取り付けられた並行アーム (二本とも同じ長さである) により車体の傾きと同角度で左右の前輪が反応する事を表した図。フレームも乗り降りに考慮しUの字で泥除けも兼ねる、通常の二輪車にも対応できる例を表した図４-4。図4．5は側車にも配備できる。
【実施例５】
【００１０】
図５は、フレームを前後車軸の中心に据え、前輪はそのロール中心 (芯) からフレームを挟む形でアッパーアームを振り分け左右のアップライトに連結した事を表した図で、後輪はフレーム中心より左右にリヤアームを取り付け、ラックと小歯車で車体の傾きに応じて左右の後輪を互い違いに作動させる事を表した図、またリヤアームの中にシャフトドライブを内蔵した事を表した図である。
【実施例６】
【００１１】
図６は、前後車体中心でフレームをロールさせる事を表した図で、前後のアクスルは水平のままである。
【実施例７】
【００１２】
図７は、ステアリングヘッドより連結棒で補助車を牽引する事を表した図。側車は上下動のみをこなす。尚、連結棒にベビーカーや乳母車を取り付ける事は可能である。連結棒は取り外しのきくものとする。リングはトーショーバーかぜんまいバネで中立を保っても良い。
【産業上の利用可能性】
【００１３】
自転車。オートバイ。四輪車。側車。
【図面の簡単な説明】
【００１４】
【図１−１】正面図
【図１−２】背面図
【図１−３】左側面
【図１−４】右側面
【図１−５】平面図
【図１−６】底面図
【図１−７】斜視全体図
【図１−８】拡大透視斜視図
【図１−９】作動図。（実施例１）
【図２−１】正面図
【図２−２】背面図
【図２−３】左側面
【図２−４】右側面
【図２−５】平面図
【図２−６】底面図
【図２−７】斜視全体図
【図２−８】拡大透視斜視図
【図２−９】作動図。（実施例2）
【図３−１】正面図
【図３−２】背面図
【図３−３】左側面
【図３−４】右側面
【図３−５】平面図
【図３−６】底面図
【図３−７】斜視全体図
【図３−８】作動図（実施例3）
【図４−１】正面図
【図４−２】背面図
【図４−３】左側面
【図４−４】右側面
【図４−５】平面図
【図４−６】底面図
【図４−７】斜視全体図
【図４−８】作動図（実施例4）
【図５−１】正面図
【図５−２】背面図
【図５−３】左側面
【図５−４】右側面
【図５−５】平面図
【図５−６】底面図
【図５−７】斜視全体図
【図５−８】拡大透視斜視図
【図５−９】作動図。（実施例5）
【図６−１】正面図
【図６−２】背面図
【図６−３】左側面
【図６−４】右側面
【図６−５】平面図
【図６−６】底面図
【図６−７】斜視全体図
【図６−８】拡大透視斜視図
【図６−９】作動図。（実施例6）
【図７−１】正面図
【図７−２】背面図
【図７−３】左側面
【図７−４】右側面
【図７−５】平面図
【図７−６】底面図
【図７−７】斜視全体図
【図７−８】作動図（実施例7）
【符号の説明】
【００１５】
１    フレーム
２    前輪
３    後輪
４    フロントアーム
５    アップライト
6    タイロッド
7    ハンドル
8    チェーン
9    ロッド
10    レバー
11    サドル
12    ペダル
13    ギアクランク
14    ハンドルステム
15          
スプリングダンパー
16    差動機
17    スポーク
18    ハブ
19    ユニバーサルジョイント
20    スプライン
21    ピロボール
22    チェーンステー
23    左右連結アッパーアーム
24    リヤアーム
25    脚
26    ピボット
27    アンダーアッパーアーム
28    ラックと小歯車
29    平歯車
30    ベベルギア
31    シャフト
32    リング
33    アクスル
34    補助車
35    連結棒
36    籠
37          
補助車(タイヤ)
38          
補助車フレーム
39          
ステアリングヘッド
40          
フロントフォーク
【図１−１】
2009286285.tif 000003
【図１−３】
2009286285.tif 000004
【図１−４】
2009286285.tif 000005
【図１−５】
2009286285.tif 000006
【図１−６】
2009286285.tif 000007
【図１−７】
2009286285.tif 000008
【図２−１】
2009286285.tif 000009
【図２−２】
2009286285.tif 000010
【図２−３】
2009286285.tif 000011
【図２−４】
2009286285.tif 000012
【図２−５】
2009286285.tif 000013
【図２−６】
2009286285.tif 000014
【図２−７】
2009286285.tif 000015
【図３−１】
2009286285.tif 000016
【図３−２】
2009286285.tif 000017
【図３−３】
2009286285.tif 000018
【図３−４】
2009286285.tif 000019
【図３−５】
2009286285.tif 000020
【図３−６】
2009286285.tif 000021
【図３−７】
2009286285.tif 000022
【図４−１】
2009286285.tif 000023
【図４−２】
2009286285.tif 000024
【図４−３】
2009286285.tif 000025
【図４−４】
2009286285.tif 000026
【図４−５】
2009286285.tif 000027
【図４−６】
2009286285.tif 000028
【図４−７】
2009286285.tif 000029
【図５−１】
2009286285.tif 000030
【図５−２】
2009286285.tif 000031
【図５−３】
2009286285.tif 000032
【図５−４】
2009286285.tif 000033
【図５−５】
2009286285.tif 000034
【図５−６】
2009286285.tif 000035
【図５−７】
2009286285.tif 000036
【図６−１】
2009286285.tif 000037
【図６−２】
2009286285.tif 000038
【図６−３】
2009286285.tif 000039
【図６−４】
2009286285.tif 000040
【図６−５】
2009286285.tif 000041
【図６−６】
2009286285.tif 000042
【図６−７】
2009286285.tif 000043
【図７−１】
2009286285.tif 000044
【図７−２】
2009286285.tif 000045
【図７−３】
2009286285.tif 000046
【図７−４】
2009286285.tif 000047
【図７−５】
2009286285.tif 000048
【図７−６】
2009286285.tif 000049
【図７−７】
2009286285.tif 000050
【図１−２】
2009286285.tif 000051
【図１−８】
2009286285.tif 000052
【図１−９】
2009286285.tif 000053
【図２−８】
2009286285.tif 000054
【図２−９】
2009286285.tif 000055
【図３−８】
2009286285.tif 000056
【図４−８】
2009286285.tif 000057
【図５−８】
2009286285.tif 000058
【図５−９】
2009286285.tif 000059
【図６−８】
2009286285.tif 000060
【図６−９】
2009286285.tif 000061
【図７−８】
2009286285.tif 000062
【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
前二輪、後一輪の三輪自転車に於いて、車体の傾きに応じて前二輪をあべこべに左右対称に上下させ尚且つ、車体、詰まり後輪と平
行の同じ角度を保つ為、車体と平行してL字アーム又はロール芯より平行にアッパーアーム、ロワーアームを振り分け設置する、アッパーアーム、ロワーアームとも一本物で左右のアップライトに繋がれる。この際舵は、車軸芯、(ロール芯) にセットする。又は、平行アームはオフセットし、本体のステアリングヘッドから左右のステアリングヘッドに連結し左右対称上下に平行運動をする車輪の軌道を起こす。また、別の傾け方として、車体と同じ車輪の傾きは歯車とチェーンで行う。
【請求項２】
車体の傾きに準じて前二輪をあべこべに左右対称に上下させる為、差動機又はラックと歯車、又はシーソーレバーなどを用いる。四輪自転車も同じ手法を取る。それぞれ転倒防止の為、平行を保つ為にバネやトーショーバーを用いる。
【請求項３】
下パイプをUの字にし泥よけを兼ね、下フレームをペダルの下位の位置よりも下げ、立パイプをピボット、ボトム・ブラケットよりも後方へ持って行き、乗降しやすくする。
【請求項４】
四輪自転車に於いてアクスル、車輪はそのままに車体だけを傾ける。
【請求項５】
サイドカーに於ける側車を牽引する形を取る事で、サイドカーの上下運動を可能とし、コーナー並びカーブでの旋回を楽にする。両側に車輪を取り付ける事により転倒防止にもなる。
【請求項６】
前輪の上に乗る形でサドルを置き前輪駆動とし、前輪の軸に遊星歯車を用い変速を行う。
【請求項７】
後輪の上に乗る形でサドルを置き後輪を駆動する、両側に駆動装置を取り付ける。
【手続補正２】
【補正対象書類名】明細書
【補正対象項目名】全文
【補正方法】変更
【補正の内容】
【発明の詳細な説明】
【技術分野】
【０００１】
本発明は基本となるものは前二輪、後一輪のトライク (三輪自転車) で、四輪にも出来る。また牽引型サイドカーでもある。
【発明の開示】
【発明が解決しようとする課題】
【０００２】
三人乗り自転車に於ける安全安心安定した自転車で、補助席の子供を守るとともに、自転車としての安全安心操作性運動性を兼ね備えたものと
する。
【課題を解決するための手段】
【０００３】
車体の傾きに伴って三輪又は四輪とも車体と同じ傾きになる。地面に対しても平行に倒す。サイドカーを牽引する。四輪の場合、車輪はそのままに、
車体だけを傾ける。
【発明の効果】
【０００４】
二輪では得られない安定性がある為、転倒の危険性が少ない。
【発明を実施するための最良の形態】
【０００５】
多人数乗車しても転倒性の危険性の少ない安心安全な乗り物とす為、前輪を二輪のトライクか、後二輪の三輪車か、四輪自転車か、
サイドカータイプとする。
【実施例１】
【０００６】
図１は、フレームから平行に左右に延びたLアームが作動する事を表した図。フレーム内に内蔵された差動機と左右のバランス 
を保つスプリングダンパーと舵によって構成されている。
【実施例２】
【０００７】
図２は、前後左右の車軸中心点にフレームを置き、フレームのヘッド中心点から平行にアッパーアーム、ロワーアームの二本のアームを振り分けそれを左右前輪のアップライトに取り付け、車体と同じ傾きで前輪が傾く事を表した図。アッパーアーム、ロワーアームとも、一本物で左右のアップライトと繋がれる。左右のバランスを取るバネと軸の中心で作動する舵で構成される。
【実施例３】
【０００８】
図３は、ステアリングヘッドから二本の平行アームを左右のステアリングヘッドに取り付け車体の傾きと同角度で左右車輪を変化させる。また舵も左右のステアリングヘッドを軸とし、タイロッドにより、ハンドルを切った角度と同角度で左右並行に車輪が作動する事を表した図。
フレームと二本の平行アームは直角のまま固定される。フレームは乗り降りのしやすさを考慮したものである。
【実施例４】
【０００９】
図４は、ステアリングヘッドを中心 (軸) に左右の車輪を動かし、ステアリングヘッドに取り付けられた並行アーム (二本とも同じ長さである) により車体の傾きと同角度で左右の前輪が反応する事を表した図。フレームも乗り降りに考慮しUの字で泥除けも兼ねる、このフレームは通常の二輪車にも対応できる例を表した図、図４-4。
【実施例５】
【００１０】
図５は、フレームを前後車軸の中心に据え、前輪はそのロール中心 (芯) からフレームを挟む形でアッパーアーム、ロワーアームを振り分け左右のアップライトに連結した事を表した図で、後輪はフレーム中心より左右にリヤアームを取り付け、ラックと小歯車で車体の傾きに応じて左右の後輪を互い違いに作動させる事を表し、駆動をシャフトドライブとした図。
【実施例６】
【００１１】
図6は、図5と同類ではあるが駆動方式を変えた例である。リヤアームを車体と直角としギアクランクによりチェーンに伝わって来た力をシャフトドライブに変換し後輪を動かす事を表した図である。
【実施例７】
【００１２】
図7は、前後車体中心でフレームをロールさせる事を表した図で、前後のアクスルは水平のままである。
【実施例８】
【００１３】
図8は、図7のチェーン駆動ではなくシャフトドライブにした図である。
【実施例９】
【００１４】
図9は、ステアリングヘッド又はフレームから連結棒で補助車を牽引する事を表した図。側車は上下動のみをこなす。尚、連結棒にベビーカーや乳母車を取り付ける事も可能である。連結棒は取り外しのきく物もとする事が出来る。リングはトーショーバーか、ぜんまいバネで中立を保っても良い。これを左右に取り付け台車、補助車、補助輪、側車としても良い。図9-7は符号、(34)と(38)を同一の物とした。
【実施例１０】
【００１５】
図10は、図9の１から8までの図に該当、類似するが、この図は前輪軸又はフロントフォークから連結棒により左右に補助車を取り付け、後車の左右にある補助車にはリア.アーム又はフレームから連結棒で繋ながれている事を表した図である。
【実施例１１】
【００１６】
図11は、図10に更に前輪軸から、後輪軸から補助輪を連結させた例。図11-5は台車の籠が補助車のフレームを兼用する事を表した図である。
【実施例１２】
【００１７】
図12は、前輪に乗る形を取り、前輪駆動とし、後を空けて人や荷物が乗るようにした。後輪はギアとチェーンにより傾きを作りだしている図である。
【実施例１３】
【００１８】
図13は、後輪に乗る形を取り、前方に人や荷物が乗るようにした。前輪は平行アームで傾きを作りだしている図である。
【産業上の利用可能性】
【００１９】
自転車。オートバイ。四輪車。側車。
【図面の簡単な説明】
【００２０】
【図１−１】正面図
【図１−２】背面図
【図１−３】左側面図
【図１−４】右側面図
【図１−５】平面図
【図１−６】底面図
【図１−７】斜視図
【図１−８】拡大透視斜視図
【図１−９】作動図。（実施例1）
【図２−１】正面図
【図２−２】背面図
【図２−３】左側面図
【図２−４】右側面図
【図２−５】平面図
【図２−６】底面図
【図２−７】斜視図
【図２−８】拡大透視斜視図
【図２−９】作動図。（実施例2）
【図３−１】正面図
【図３−２】背面図
【図３−３】左側面図
【図３−４】右側面図
【図３−５】平面図
【図３−６】底面図
【図３−７】斜視図
【図３−８】作動図（実施例3）
【図４−１】正面図
【図４−２】背面図
【図４−３】左側面図
【図４−４】右側面図
【図４−５】平面図
【図４−６】底面図
【図４−７】斜視図
【図４−８】作動図（実施例4）
【図５−１】正面図
【図５−２】背面図
【図５−３】左側面図
【図５−４】右側面図
【図５−５】平面図
【図５−６】底面図
【図５−７】斜視図
【図５−８】拡大透視斜視図
【図５−９】作動図。（実施例5）
【図６−１】正面図
【図６−２】背面図
【図６−３】左側面図
【図６−４】右側面図
【図６−５】平面図
【図６−６】底面図
【図６−７】斜視図
【図６−８】拡大透視斜視図
【図６−９】作動図。（実施例6）
【図７−１】正面図
【図７−２】背面図
【図７−３】左側面図
【図７−４】右側面図
【図７−５】平面図
【図７−６】底面図
【図７−７】斜視図
【図７−８】拡大透視斜視図
【図７−９】作動図（実施例7）
【図８−１】正面図
【図８−２】背面図
【図８−３】左側面図
【図８−４】右側面図
【図８−５】平面図
【図８−６】底面図
【図８−７】斜視図
【図８−８】拡大透視斜視図
【図８−９】作動図（実施例8）
【図９−１】正面図
【図９−２】背面図
【図９−３】左側面図
【図９−４】右側面図
【図９−５】平面図
【図９−６】底面図
【図９−７】斜視図
【図９−８】作動図（実施例9）
【図１０−１】正面図
【図１０−２】背面図
【図１０−３】左側面図
【図１０−４】右側面図
【図１０−５】平面図
【図１０−６】底面図
【図１０−７】斜視図
【図１０−８】作動図。（実施例10）
【図１１−１】正面図
【図１１−２】背面図
【図１１−３】左側面図
【図１１−４】右側面図
【図１１−５】平面図
【図１１−６】底面図
【図１１−７】斜視図。（実施例11）
【図１２−１】正面図
【図１２−２】背面図
【図１２−３】左側面図
【図１２−４】右側面図
【図１２−５】平面図
【図１２−６】底面図
【図１２−７】斜視図
【図１２−８】作動図。（実施例12）
【図１３−１】正面図
【図１３−２】背面図
【図１３−３】左側面図
【図１３−４】右側面図
【図１３−５】平面図
【図１３−６】底面図
【図１３−７】斜視図
【図１３−８】作動図。（実施例13）
【符号の説明】
【００２１】
1  フレーム
2  前輪
3  後輪
4  フロントアーム (Lアーム)
5  アップライト
6  タイロッド
7  ハンドル(ハンドルバー)
8  チェーン
9  ロッド
10  レバー
11  サドル(シート)
12  ペダル
13  ギアクランク
14  ハンドルステム
15  スプリングダンパー
16  差動機
17  スポーク
18  ハブ
19  ニバーサルジョイント
20  スプライン
21  ピロボール
22  チェーンステー(リヤアーム、リアホーク)
23  左右連結アッパーアーム
24  ステアリングヘッド
25  脚(立パイプ)
26  ピボット
27  左右連結ロワーアーム
28  ラックと小歯車
29  平歯車
30  ベベルギア
31  シャフト(シャフトドライブ)
32  リング
33  アクスル
34  補助車、台車、サイドカー
35  連結棒
36  籠(BOX)
37  補助輪(タイヤ)
38  補助車フレーム
39  ステアリングヘッド
40  フロントフォーク
41  遊星歯車
42  キャリア
43  バックホーク
【手続補正３】
【補正対象書類名】図面
【補正対象項目名】全図
【補正方法】変更
【補正の内容】
【図１−１】
2009286285.tif 000063
【図１−２】
2009286285.tif 000064
【図１−３】
2009286285.tif 000065
【図１−４】
2009286285.tif 000066
【図１−５】
2009286285.tif 000067
【図１−６】
2009286285.tif 000068
【図１−７】
2009286285.tif 000069
【図１−８】
2009286285.tif 000070
【図１−９】
2009286285.tif 000071
【図２−１】
2009286285.tif 000072
【図２−２】
2009286285.tif 000073
【図２−３】
2009286285.tif 000074
【図２−４】
2009286285.tif 000075
【図２−５】
2009286285.tif 000076
【図２−６】
2009286285.tif 000077
【図２−７】
2009286285.tif 000078
【図２−８】
2009286285.tif 000079
【図２−９】
2009286285.tif 000080
【図３−１】
2009286285.tif 000081
【図３−２】
2009286285.tif 000082
【図３−３】
2009286285.tif 000083
【図３−４】
2009286285.tif 000084
【図３−５】
2009286285.tif 000085
【図３−６】
2009286285.tif 000086
【図３−７】
2009286285.tif 000087
【図３−８】
2009286285.tif 000088
【図４−１】
2009286285.tif 000089
【図４−２】
2009286285.tif 000090
【図４−３】
2009286285.tif 000091
【図４−４】
2009286285.tif 000092
【図４−５】
2009286285.tif 000093
【図４−６】
2009286285.tif 000094
【図４−７】
2009286285.tif 000095
【図４−８】
2009286285.tif 000096
【図５−１】
2009286285.tif 000097
【図５−２】
2009286285.tif 000098
【図５−３】
2009286285.tif 000099
【図５−４】
2009286285.tif 000100
【図５−５】
2009286285.tif 000101
【図５−６】
2009286285.tif 000102
【図５−７】
2009286285.tif 000103
【図５−８】
2009286285.tif 000104
【図５−９】
2009286285.tif 000105
【図６−１】
2009286285.tif 000106
【図６−２】
2009286285.tif 000107
【図６−３】
2009286285.tif 000108
【図６−４】
2009286285.tif 000109
【図６−５】
2009286285.tif 000110
【図６−６】
2009286285.tif 000111
【図６−７】
2009286285.tif 000112
【図６−８】
2009286285.tif 000113
【図６−９】
2009286285.tif 000114
【図７−１】
2009286285.tif 000115
【図７−２】
2009286285.tif 000116
【図７−３】
2009286285.tif 000117
【図７−４】
2009286285.tif 000118
【図７−５】
2009286285.tif 000119
【図７−６】
2009286285.tif 000120
【図７−７】
2009286285.tif 000121
【図７−８】
2009286285.tif 000122
【図７−９】
2009286285.tif 000123
【図８−１】
2009286285.tif 000124
【図８−２】
2009286285.tif 000125
【図８−３】
2009286285.tif 000126
【図８−４】
2009286285.tif 000127
【図８−５】
2009286285.tif 000128
【図８−６】
2009286285.tif 000129
【図８−７】
2009286285.tif 000130
【図８−８】
2009286285.tif 000131
【図８−９】
2009286285.tif 000132
【図９−１】
2009286285.tif 000133
【図９−２】
2009286285.tif 000134
【図９−３】
2009286285.tif 000135
【図９−４】
2009286285.tif 000136
【図９−５】
2009286285.tif 000137
【図９−６】
2009286285.tif 000138
【図９−７】
2009286285.tif 000139
【図９−８】
2009286285.tif 000140
【図１０−１】
2009286285.tif 000141
【図１０−２】
2009286285.tif 000142
【図１０−３】
2009286285.tif 000143
【図１０−４】
2009286285.tif 000144
【図１０−５】
2009286285.tif 000145
【図１０−６】
2009286285.tif 000146
【図１０−７】
2009286285.tif 000147
【図１０−８】
2009286285.tif 000148
【図１１−１】
2009286285.tif 000149
【図１１−２】
2009286285.tif 000150
【図１１−３】
2009286285.tif 000151
【図１１−４】
2009286285.tif 000152
【図１１−５】
2009286285.tif 000153
【図１１−６】
2009286285.tif 000154
【図１１−７】
2009286285.tif 000155
【図１２−１】
2009286285.tif 000156
【図１２−２】
2009286285.tif 000157
【図１２−３】
2009286285.tif 000158
【図１２−４】
2009286285.tif 000159
【図１２−５】
2009286285.tif 000160
【図１２−６】
2009286285.tif 000161
【図１２−７】
2009286285.tif 000162
【図１２−８】
2009286285.tif 000163
【図１３−１】
2009286285.tif 000164
【図１３−２】
2009286285.tif 000165
【図１３−３】
2009286285.tif 000166
【図１３−４】
2009286285.tif 000167
【図１３−５】
2009286285.tif 000168
【図１３−６】
2009286285.tif 000169
【図１３−７】
2009286285.tif 000170
【図１３−８】
2009286285.tif 000171
【手続補正書】
【提出日】平成21年7月30日(2009.7.30)
【手続補正１】
【補正対象書類名】明細書
【補正対象項目名】００２０
【補正方法】変更
【補正の内容】
【００２０】
【図１−１】正面図
【図１−２】背面図
【図１−３】左側面図
【図１−４】右側面図
【図１−５】平面図
【図１−６】底面図
【図１−７】斜視図(投影図、立体図、投射図)
【図１−８】拡大透視斜視図
【図１−９】作動図。（実施例1）
【図２−１】正面図
【図２−２】背面図
【図２−３】左側面図
【図２−４】右側面図
【図２−５】平面図
【図２−６】底面図
【図２−７】斜視図
【図２−８】拡大透視斜視図
【図２−９】作動図。（実施例2）
【図３−１】正面図
【図３−２】背面図
【図３−３】左側面図
【図３−４】右側面図
【図３−５】平面図
【図３−６】底面図
【図３−７】斜視図
【図３−８】作動図（実施例3）
【図４−１】正面図
【図４−２】背面図
【図４−３】左側面図
【図４−４】右側面図
【図４−５】平面図
【図４−６】底面図
【図４−７】斜視図
【図４−８】作動図（実施例4）
【図５−１】正面図
【図５−２】背面図
【図５−３】左側面図
【図５−４】右側面図
【図５−５】平面図
【図５−６】底面図
【図５−７】斜視図
【図５−８】拡大透視斜視図
【図５−９】作動図。（実施例5）
【図６−１】正面図
【図６−２】背面図
【図６−３】左側面図
【図６−４】右側面図
【図６−５】平面図
【図６−６】底面図
【図６−７】斜視図
【図６−８】拡大透視斜視図
【図６−９】作動図。（実施例6）
【図７−１】正面図
【図７−２】背面図
【図７−３】左側面図
【図７−４】右側面図
【図７−５】平面図
【図７−６】底面図
【図７−７】斜視図
【図７−８】拡大透視斜視図
【図７−９】作動図（実施例7）
【図８−１】正面図
【図８−２】背面図
【図８−３】左側面図
【図８−４】右側面図
【図８−５】平面図
【図８−６】底面図
【図８−７】斜視図
【図８−８】拡大透視斜視図
【図８−９】作動図（実施例8）
【図９−１】正面図
【図９−２】背面図
【図９−３】左側面図
【図９−４】右側面図
【図９−５】平面図
【図９−６】底面図
【図９−７】斜視図
【図９−８】作動図（実施例9）
【図１０−１】正面図
【図１０−２】背面図
【図１０−３】左側面図
【図１０−４】右側面図
【図１０−５】平面図
【図１０−６】底面図
【図１０−７】斜視図
【図１０−８】作動図。（実施例10）
【図１１−１】正面図
【図１１−２】背面図
【図１１−３】左側面図
【図１１−４】右側面図
【図１１−５】平面図
【図１１−６】底面図
【図１１−７】斜視図。（実施例11）
【図１２−１】正面図
【図１２−２】背面図
【図１２−３】左側面図
【図１２−４】右側面図
【図１２−５】平面図
【図１２−６】底面図
【図１２−７】斜視図
【図１２−８】作動図。（実施例12）
【図１３−１】正面図
【図１３−２】背面図
【図１３−３】左側面図
【図１３−４】右側面図
【図１３−５】平面図
【図１３−６】底面図
【図１３−７】斜視図
【図１３−８】作動図。（実施例13）
【図１４−１】正面図
【図１４−２】背面図
【図１４−３】左側面図
【図１４−４】右側面図
【図１４−５】平面図
【図１４−６】底面図
【図１４−７】斜視図
【図１４−８】拡大図
【図１４−９】作動図。
【図１５−１】正面図
【図１５−２】背面図
【図１５−３】左側面図
【図１５−４】右側面図
【図１５−５】平面図
【図１５−６】底面図
【図１５−７】斜視図
【図１５−８】作動図。
【図１６−１】正面図
【図１６−２】背面図
【図１６−３】左側面図
【図１６−４】右側面図
【図１６−５】平面図
【図１６−６】底面図
【図１６−７】斜視図
【図１６−８】拡大図
【図１６−９】作動図。
【図１７−１】正面図
【図１７−２】背面図
【図１７−３】左側面図
【図１７−４】右側面図
【図１７−５】平面図
【図１７−６】底面図
【図１７−７】斜視図
【図１８−１】正面図
【図１８−２】背面図
【図１８−３】左側面図
【図１８−４】右側面図
【図１８−５】平面図
【図１８−６】底面図
【図１８−７】斜視図
【図１９−１】正面図
【図１９−２】背面図
【図１９−３】左側面図
【図１９−４】右側面図
【図１９−５】平面図
【図１９−６】底面図
【図１９−７】斜視図
【図２０−１】正面図
【図２０−２】背面図
【図２０−３】左側面図
【図２０−４】右側面図
【図２０−５】平面図
【図２０−６】底面図
【図２０−７】斜視図
【図２１−１】正面図
【図２１−２】背面図
【図２１−３】左側面図
【図２１−４】右側面図
【図２１−５】平面図
【図２１−６】底面図
【図２１−７】斜視図
【図２１−８】作動図。
【図２２−１】正面図
【図２２−２】背面図
【図２２−３】左側面図
【図２２−４】右側面図
【図２２−５】平面図
【図２２−６】底面図
【図２２−７】斜視図
【図２３−１】正面図
【図２３−２】背面図
【図２３−３】左側面図
【図２３−４】右側面図
【図２３−５】平面図
【図２３−６】底面図
【図２３−７】斜視図
【図２４−１】正面図
【図２４−２】背面図
【図２４−３】左側面図
【図２４−４】右側面図
【図２４−５】平面図
【図２４−６】底面図
【図２４−７】斜視図
【手続補正２】
【補正対象書類名】図面
【補正対象項目名】全図
【補正方法】変更
【補正の内容】
【図１４−１】
2009286285.tif 000172
【図１４−２】
2009286285.tif 000173
【図１４−３】
2009286285.tif 000174
【図１４−６】
2009286285.tif 000175
【図１４−７】
2009286285.tif 000176
【図１４−８】
2009286285.tif 000177
【図１４−９】
2009286285.tif 000178
【図１５−１】
2009286285.tif 000179
【図１５−２】
2009286285.tif 000180
【図１５−３】
2009286285.tif 000181
【図１５−４】
2009286285.tif 000182
【図１５−６】
2009286285.tif 000183
【図１５−７】
2009286285.tif 000184
【図１５−８】
2009286285.tif 000185
【図１６−１】
2009286285.tif 000186
【図１６−２】
2009286285.tif 000187
【図１６−３】
2009286285.tif 000188
【図１６−４】
2009286285.tif 000189
【図１６−６】
2009286285.tif 000190
【図１６−７】
2009286285.tif 000191
【図１６−８】
2009286285.tif 000192
【図１６−９】
2009286285.tif 000193
【図１７−１】
2009286285.tif 000194
【図１７−２】
2009286285.tif 000195
【図１７−３】
2009286285.tif 000196
【図１７−４】
2009286285.tif 000197
【図１７−５】
2009286285.tif 000198
【図１７−６】
2009286285.tif 000199
【図１７−７】
2009286285.tif 000200
【図１８−１】
2009286285.tif 000201
【図１８−２】
2009286285.tif 000202
【図１８−３】
2009286285.tif 000203
【図１８−４】
2009286285.tif 000204
【図１８−６】
2009286285.tif 000205
【図１８−７】
2009286285.tif 000206
【図１９−１】
2009286285.tif 000207
【図１９−２】
2009286285.tif 000208
【図１９−３】
2009286285.tif 000209
【図１９−４】
2009286285.tif 000210
【図１９−６】
2009286285.tif 000211
【図１９−７】
2009286285.tif 000212
【図２０−１】
2009286285.tif 000213
【図２０−２】
2009286285.tif 000214
【図２０−３】
2009286285.tif 000215
【図２０−４】
2009286285.tif 000216
【図２０−６】
2009286285.tif 000217
【図２０−７】
2009286285.tif 000218
【図２１−１】
2009286285.tif 000219
【図２１−２】
2009286285.tif 000220
【図２１−３】
2009286285.tif 000221
【図２１−４】
2009286285.tif 000222
【図２１−６】
2009286285.tif 000223
【図２１−７】
2009286285.tif 000224
【図２１−８】
2009286285.tif 000225
【図２２−１】
2009286285.tif 000226
【図２２−２】
2009286285.tif 000227
【図２２−３】
2009286285.tif 000228
【図２２−４】
2009286285.tif 000229
【図２２−５】
2009286285.tif 000230
【図２２−６】
2009286285.tif 000231
【図２２−７】
2009286285.tif 000232
【図２３−１】
2009286285.tif 000233
【図２３−２】
2009286285.tif 000234
【図２３−３】
2009286285.tif 000235
【図２３−４】
2009286285.tif 000236
【図２３−６】
2009286285.tif 000237
【図２３−７】
2009286285.tif 000238
【図２４−１】
2009286285.tif 000239
【図２４−２】
2009286285.tif 000240
【図２４−３】
2009286285.tif 000241
【図２４−４】
2009286285.tif 000242
【図２４−６】
2009286285.tif 000243
【図２４−７】
2009286285.tif 000244
【図１−１】
2009286285.tif 000245
【図１−２】
2009286285.tif 000246
【図１−３】
2009286285.tif 000247
【図１−４】
2009286285.tif 000248
【図１−５】
2009286285.tif 000249
【図１−６】
2009286285.tif 000250
【図１−７】
2009286285.tif 000251
【図１−８】
2009286285.tif 000252
【図１−９】
2009286285.tif 000253
【図２−１】
2009286285.tif 000254
【図２−２】
2009286285.tif 000255
【図２−３】
2009286285.tif 000256
【図２−４】
2009286285.tif 000257
【図２−５】
2009286285.tif 000258
【図２−６】
2009286285.tif 000259
【図２−７】
2009286285.tif 000260
【図２−８】
2009286285.tif 000261
【図２−９】
2009286285.tif 000262
【図３−１】
2009286285.tif 000263
【図３−２】
2009286285.tif 000264
【図３−３】
2009286285.tif 000265
【図３−４】
2009286285.tif 000266
【図３−５】
2009286285.tif 000267
【図３−６】
2009286285.tif 000268
【図３−７】
2009286285.tif 000269
【図３−８】
2009286285.tif 000270
【図４−１】
2009286285.tif 000271
【図４−２】
2009286285.tif 000272
【図４−３】
2009286285.tif 000273
【図４−４】
2009286285.tif 000274
【図４−５】
2009286285.tif 000275
【図４−６】
2009286285.tif 000276
【図４−７】
2009286285.tif 000277
【図４−８】
2009286285.tif 000278
【図５−１】
2009286285.tif 000279
【図５−２】
2009286285.tif 000280
【図５−３】
2009286285.tif 000281
【図５−４】
2009286285.tif 000282
【図５−５】
2009286285.tif 000283
【図５−６】
2009286285.tif 000284
【図５−７】
2009286285.tif 000285
【図５−８】
2009286285.tif 000286
【図５−９】
2009286285.tif 000287
【図６−１】
2009286285.tif 000288
【図６−２】
2009286285.tif 000289
【図６−３】
2009286285.tif 000290
【図６−４】
2009286285.tif 000291
【図６−５】
2009286285.tif 000292
【図６−６】
2009286285.tif 000293
【図６−７】
2009286285.tif 000294
【図６−８】
2009286285.tif 000295
【図６−９】
2009286285.tif 000296
【図７−１】
2009286285.tif 000297
【図７−２】
2009286285.tif 000298
【図７−３】
2009286285.tif 000299
【図７−４】
2009286285.tif 000300
【図７−５】
2009286285.tif 000301
【図７−６】
2009286285.tif 000302
【図７−７】
2009286285.tif 000303
【図７−８】
2009286285.tif 000304
【図７−９】
2009286285.tif 000305
【図８−１】
2009286285.tif 000306
【図８−２】
2009286285.tif 000307
【図８−３】
2009286285.tif 000308
【図８−４】
2009286285.tif 000309
【図８−５】
2009286285.tif 000310
【図８−６】
2009286285.tif 000311
【図８−７】
2009286285.tif 000312
【図８−８】
2009286285.tif 000313
【図８−９】
2009286285.tif 000314
【図９−１】
2009286285.tif 000315
【図９−２】
2009286285.tif 000316
【図９−３】
2009286285.tif 000317
【図９−４】
2009286285.tif 000318
【図９−５】
2009286285.tif 000319
【図９−６】
2009286285.tif 000320
【図９−７】
2009286285.tif 000321
【図９−８】
2009286285.tif 000322
【図１０−１】
2009286285.tif 000323
【図１０−２】
2009286285.tif 000324
【図１０−３】
2009286285.tif 000325
【図１０−４】
2009286285.tif 000326
【図１０−５】
2009286285.tif 000327
【図１０−６】
2009286285.tif 000328
【図１０−７】
2009286285.tif 000329
【図１０−８】
2009286285.tif 000330
【図１１−１】
2009286285.tif 000331
【図１１−２】
2009286285.tif 000332
【図１１−３】
2009286285.tif 000333
【図１１−４】
2009286285.tif 000334
【図１１−５】
2009286285.tif 000335
【図１１−６】
2009286285.tif 000336
【図１１−７】
2009286285.tif 000337
【図１２−１】
2009286285.tif 000338
【図１２−２】
2009286285.tif 000339
【図１２−３】
2009286285.tif 000340
【図１２−４】
2009286285.tif 000341
【図１２−５】
2009286285.tif 000342
【図１２−６】
2009286285.tif 000343
【図１２−７】
2009286285.tif 000344
【図１２−８】
2009286285.tif 000345
【図１３−１】
2009286285.tif 000346
【図１３−２】
2009286285.tif 000347
【図１３−３】
2009286285.tif 000348
【図１３−４】
2009286285.tif 000349
【図１３−５】
2009286285.tif 000350
【図１３−６】
2009286285.tif 000351
【図１３−７】
2009286285.tif 000352
【図１３−８】
2009286285.tif 000353
【図１４−４】
2009286285.tif 000354
【図１４−５】
2009286285.tif 000355
【図１５−５】
2009286285.tif 000356
【図１６−５】
2009286285.tif 000357
【図１８−５】
2009286285.tif 000358
【図１９−５】
2009286285.tif 000359
【図２０−５】
2009286285.tif 000360
【図２１−５】
2009286285.tif 000361
【図２３−５】
2009286285.tif 000362
【図２４−５】
2009286285.tif 000363